(57)【特許請求の範囲】
【請求項１】
部屋の壁等のように下地床面から立ち上がるよう形成された立設部と、下地床面上の支持脚に支持されてフリーアクセスフロアの床面を形成するパネル部材との間にできた空間部に設置される、フリーアクセスフロアのボーダー部材であって、
前記下地床面と略平行に配置された矩形の板状の水平板部と、
前記立設部に水平方向に沿って配置される前記水平板部の第１の辺部から下方に折曲がって連続して形成され、先端部が前記下地床面上に当接して前記支持脚と同じ高さを有する第１鉛直板部と、
前記水平板部の第１の辺部と水平面上において直角に隣合う第２の辺部から下方に折曲がって連続して形成され、前記第１鉛直板部より低い高さを有し、かつ前記第２の辺部と略同一の長さを有する第２鉛直板部とを備え、
前記水平板部の第１の辺部とは反対側の辺部の隅部の下面が前記支持脚に支持され、
前記第２鉛直板部の前記第１鉛直板部とは反対側の、前記水平板部の辺部から下方に折曲がった鉛直板部が形成されていない側の端部のみが、前記支持脚に設けられた溝部に嵌合する
ことを特徴とするフリーアクセスフロアのボーダー部材。
【請求項２】
前記第１鉛直板部に板厚方向に貫通する切欠き部が形成されている
ことを特徴とする請求項１に記載のフリーアクセスフロアのボーダー部材。
【発明の詳細な説明】
【技術分野】
【０００１】
本発明は、クリーンルームやオフィスルーム等の部屋の床部に設けられるフリーアクセスフロアに関し、特にそのパネル部材と部屋の壁等との間にできた空間部に設置されるボーダー部材に関するものである。
【背景技術】
【０００２】
図８及び図９は、従来のフリーアクセスフロア２及びそのボーダー部材６を示す平面図及び側面断面図である。ボーダー部材６は、図９に示すように、フリーアクセスフロア２が設けられる部屋の下地床面１０上であって、支持脚８により支持された標準パネル３（パネル部材）と、部屋の下地床面１０から立ち上がるよう形成された立設部である壁４との間の空間部に設置されている。
【０００３】
ボーダー部材６は、上記のような場所だけでなく、標準パネル３の上面と水平方向に略連続する床面を壁等の立設部まで延長するために、図示しない様々な場所に設置される。
【０００４】
すなわち、ボーダー部材６は、定形部材、すなわち同一寸法の同一形状に形成されている複数の標準パネル３を並べて配置することができない、壁４に水平方向に沿って形成される、又は部屋内の壁４から離れた（或は壁４と一体となっている）、図示しない柱や他の立設部に水平方向に沿って形成される、立設部と標準パネル３との間がその標準パネル３の寸法より小さな寸法の空間部に、標準パネル３の上面と水平方向に略連続する床面をその立設部まで延長するために設置されるものである。
【０００５】
以下の説明においては、壁４に水平方向に沿って形成される空間部や、図示しない柱等の立設部に水平方向に沿って形成される空間部において、ボーダー部材６のような、標準パネル３以外の部材を配置することにより、標準パネル３の上面と水平方向に略連続する床面が形成される空間部を、ボーダー部Ｂと呼ぶこととする（図８，９参照）。
【０００６】
ボーダー部材６は金属製で、厚さ（図９中、寸法ｔ）を有し、下地床面１０と略平行方向の長さと幅を有する（矩形の）水平板部２６と、この水平板部２６の、壁４に水平方向に沿って伸びる辺部から、下地床面１０側に垂直方向（鉛直方向）に折れ曲がって連続して形成された、鉛直板部２８とを備えて構成されている。
【０００７】
またボーダー部材６は、その水平板部２６がボーダー部Ｂの下地床面１０の上方を覆い、かつ、この水平板部２６における壁４と反対側の辺部側の板状部２６ａが、最も壁４寄りの位置に配置された標準パネル３の上面上に載置されると共に、鉛直板部２８の先端部（図中下端部）が下地床面１０上に当接するように設置される。
【０００８】
このようなボーダー部材６を設置することにより、ボーダー部Ｂには、標準パネル３の上面と下地床面１０との間の高さを有する大きな段差（支持脚８の高さに標準パネル３の厚さを加えた寸法の段差）が生じないようにして、部屋のフリーアクセスフロア２の床面が標準パネル３の上面と水平方向に略連続して壁４迄延長して形成されるようになっていた。
【０００９】
フリーアクセスフロア２の、標準パネル３を支持する支持脚８の最上端部には支持面１８が形成されている。そして、以下の説明においては、ボーダー部材６の水平板部２６の壁４と反対側の板状部２６ａの下に重なって配置される、最も壁４寄りの標準パネル３の、壁４側の隅部を支持するのに用いられる支持脚８を、特にボーダー部側支持脚８Ａと呼ぶこととする（図８，９参照）。
【００１０】
図１０は、図８，９における支持脚８だけを取り出して示すその平面図である。同図に示すように、支持脚８は、その支持面１８に開口するよう形成されて、標準パネル３の後述するような折曲った側板部２４と嵌合可能な４本の溝部２０を有している。
【００１１】
この支持脚８の４本の溝部２０は、これら４本の中の２本が、支持面１８上の水平方向に伸びるよう互いに平行に一定間隔ｐを挟んで並んで配置され、この２本の溝部２０と直角かつ水平方向に交差するように、他の２本の溝部２０が互いに平行に一定間隔ｐを挟んで並んで配置されている。
【００１２】
これら４本の溝部２０のそれぞれは、互いに平行に並んで配置される２本の組合せ同士が、互いの長さ方向のほぼ中央部において交差している。一組の溝部２０の長さ方向において、この長さ方向と直角方向に交差する他の組の２本の溝部２０との交差位置から、前記一組の２本の溝部２０の長さ方向における、支持脚８の外周面までの短い方の長さ寸法を、図１０においてはＬで表すこととする。
【００１３】
また、図１１は、図８，９における標準パネル３を取り出して示すその平面図である。標準パネル３は、定形部材、すなわち同一寸法の同一形状に形成されている複数の部材であって、同図に示すように、平面形状が略正方形の天板部２２と、天板部２２の四辺のそれぞれに、下地床面１０側（図９中下側）に一定高さを有するよう折曲げて形成された側板部２４とを有している。
【００１４】
図８に示すように、標準パネル３は、水平面において縦方向及び横方向に整列して配置される。そして、支持脚８は、ボーダー部材６の板状部２６ａの下に配置される標準パネル３の、ボーダー部Ｂ側の隅部を支持するのに用いられるボーダー部側支持脚８Ａを除いて、４枚の標準パネル３の各隅部が一ヶ所に集まる位置に配置され、この４枚の標準パネル３の各隅部を下側から支持するようになっている。
【００１５】
このようなフリーアクセスフロア２の、各支持脚８が４枚の標準パネル３の各隅部を支持するときの支持構造は、各標準パネル３における天板部２２の各隅部の下面が、図１０に示す支持脚８の支持面１８上に載置されると共に、各標準パネル３の天板部２２における四辺のそれぞれと平行方向に伸びる、図１１に示す各側板部２４の両端部のそれぞれが、対応する支持脚８の図１０に示す溝部２０の寸法Ｌの長さ範囲に嵌合する構造になっている。
【００１６】
このような従来のフリーアクセスフロアのボーダー部材は、まだ公開公報が発行されていないので、特許文献として掲げることはできないが、特願２００６−３３８４６５に係る出願発明の従来例として、その従来例を記載する欄に記載されているものである。
【発明の開示】
【発明が解決しようとする課題】
【００１７】
しかしながら、上述したような従来のフリーアクセスフロア２においては、ボーダー部材６の水平板部２６と標準パネル３との重なる面積が大きくなると、その重なる部分の水平板部２６の材料が無駄となるという問題があった。
【００１８】
また、従来のフリーアクセスフロア２においては、ボーダー部材６の水平板部２６と標準パネル３とが単に重なるだけだったので、そのボーダー部材６と標準パネル３との間の水平方向の相対位置がずれる可能性があるという問題があった。
【００１９】
また、従来のフリーアクセスフロア２においては、ボーダー部材６の水平板部２６の、壁４と反対側の板状部２６ａが、標準パネル３の上面上に重なって載置されているので、フリーアクセスフロア２の床面上（標準パネル３の上面上）の水平板部２６（板状部２６ａ）が途切れる部分に、その厚さ分（図９中寸法ｔ）の段差が形成されてしまう。
【００２０】
このため、このような段差の上に（カーペット等を介して）整理棚や書庫等が載置された場合には、この整理棚や書庫等が傾むいてしまうおそれが有り、地震時等においてはそれらが倒れると非常に危険であるという問題があった。
【００２１】
そこで本発明は、上記問題点に鑑みて、ボーダー部材の材料の無駄や、ボーダー部材と標準パネル間の水平方向の位置ずれや、フリーアクセスフロアの床面上に段差が形成されることを防止することができるフリーアクセスフロアのボーダー部材を提供することを課題とするものである。
【課題を解決するための手段】
【００２２】
上記課題を解決するために、本発明によるフリーアクセスフロアのボーダー部材は、
部屋の壁等のように下地床面から立ち上がるよう形成された立設部と、下地床面上の支持脚に支持されてフリーアクセスフロアの床面を形成するパネル部材との間にできた空間部に設置される、フリーアクセスフロアのボーダー部材であって、
前記下地床面と略平行に配置された矩形の板状の水平板部と、
前記立設部に水平方向に沿って配置される前記水平板部の第１の辺部から下方に折曲がって連続して形成され、先端部が前記下地床面上に当接して前記支持脚と同じ高さを有する第１鉛直板部と、
前記水平板部の第１の辺部と水平面上において直角に隣合う第２の辺部から下方に折曲がって連続して形成され、前記第１鉛直板部より低い高さを有し、かつ前記第２の辺部と略同一の長さを有する第２鉛直板部とを備え、
前記水平板部の第１の辺部とは反対側の辺部の隅部の下面が前記支持脚に支持され、
前記第２鉛直板部の前記第１鉛直板部とは反対側の、前記水平板部の辺部から下方に折曲がった鉛直板部が形成されていない側の端部のみが、前記支持脚に設けられた溝部に嵌合することを特徴とするものである。
【００２３】
また、本発明によるフリーアクセスフロアのボーダー部材は、前記第１鉛直板部に板厚方向に貫通する切欠き部が形成されていることを特徴とするものである。
【発明の効果】
【００２４】
このような本発明に係るフリーアクセスフロアのボーダー部材によれば、
部屋の壁等のように下地床面から立ち上がるよう形成された立設部と、下地床面上の支持脚に支持されてフリーアクセスフロアの床面を形成するパネル部材との間にできた空間部に設置される、フリーアクセスフロアのボーダー部材であって、
前記下地床面と略平行に配置される矩形状の水平板部と、
前記立設部に水平方向に沿って配置される前記水平板部の第１の辺部から下方に折曲がって連続して形成され、先端部が前記下地床面上に当接して前記支持脚と同じ高さを有する第１鉛直板部と、
前記水平板部の第１の辺部と水平面上において直角に隣合う第２の辺部から下方に折曲がって連続して形成され、前記第１鉛直板部より低い高さを有する第２鉛直板部とを備えたことにより、
ボーダー部材の材料の無駄や、ボーダー部材と標準パネル間の水平方向の位置ずれや、フリーアクセスフロアの床面上に段差が形成されることを防止することができる。
【００２５】
また、本発明のフリーアクセスフロアのボーダー部材によれば、
前記第１鉛直板部に板厚方向に貫通する切欠き部が形成されていることにより、
前記効果の他に、壁等の立設部から配線が出ている場合でも、その配線を第１鉛直板部の切欠き部を貫通させて下地床面上に通すことができるという効果を得ることができる。
【発明を実施するための最良の形態】
【００２６】
以下、本発明に係るフリーアクセスフロアのボーダー部材を実施するための最良の形態について、図面に基づいて具体的に説明する。
図１から図５は、本発明の第１の実施の形態に係る、フリーアクセスフロア２のボーダー部材３２について説明するために参照する図である。従来と同様の部分には同じ符号を用いて説明し、従来と同様の構成についての重複する説明は省略するものとする。
【００２７】
本実施の形態に係るフリーアクセスフロア２は、図１及び図２に示すように、標準パネル３（パネル部材）、この標準パネル３を支持する支持脚８、ボーダー部材３２、及び、前記支持脚８とは一応区別して、ボーダー部材３２の壁４（立設部）と反対側に隣合って配置される標準パネル３の、壁４側の隅部を支持するボーダー部側支持脚８Ａを備えて構成されている。
【００２８】
以後の説明においては、図１に示すように、標準パネル３とボーダー部材３２との間の境界線と平行方向（図１中、紙面に垂直の方向）に伸びて、ボーダー部材３２側を通る、ボーダー部側支持脚８Ａの溝部２０を、特に、ボーダー部側溝部２０ａと呼ぶこととする。
【００２９】
本実施の形態に係るフリーアクセスフロア２のボーダー部材３２は、図１〜５に示すように、水平板部３６、第１鉛直板部３８、及び第２鉛直板部４０により構成されている。
【００３０】
水平板部３６は、図２に上下方向に示すその長さが、２つの標準パネル３の各辺の略２倍の長さを有し、その幅、すなわち図１中の左右方向の幅寸法Ｗ１が、壁４から、ボーダー部側支持脚８Ａのボーダー部側溝部２０ａの幅を定める２本の線の、ボーダー部側支持脚８Ａの中心寄りの線付近までの寸法になるように形成されている。
【００３１】
ここで、水平板部３６は、ボーダー部材３２をボーダー部Ｂに設置する前は、図１中の幅寸法Ｗ１より同図中右方に大きく延びて形成されているが、現場の部屋によって異なるその幅寸法Ｗ１を測定により決定して、その幅寸法Ｗ１となるように現場で水平板部３６を切断するようになっている。
【００３２】
また、第１鉛直板部３８は、図５に示す水平板部３６の、壁４に水平方向に沿って伸びる第１の辺部３６ａから、図１，３に示すように下方に折曲がって連続して形成され、先端部が前記下地床面１０上に当接して、ボーダー部側支持脚８Ａやその他の支持脚８の高さと同じ高さ寸法Ｈ１を有するように形成されている。この第１鉛直板部３８は、使用する支持脚８の高さが分かっている場合は、予め工場でその高さと同じ高さ寸法Ｈ１になるように折り曲げ加工されているものを用いることができる。
【００３３】
また、ボーダー部材３２の第２鉛直板部４０は、図５に示すように、水平板部３６における第１の辺部３６ａと水平面上において直角に隣り合う、水平板部３６の長さ両端部に相当する第２の辺部３６ｂから、図１，３，４に示すように、下方の下地床面１０側に垂直に折れ曲がって連続して形成されたものである。第２鉛直板部４０はその高さ寸法が、ボーダー部側支持脚８Ａのボーダー部側溝部２０ａの深さ寸法より僅かに小さく形成されている。
【００３４】
上記第２鉛直板部４０も、使用するボーダー部側支持脚８Ａのボーダー部側溝部２０ａの深さが分かっていれば、予め工場でその深さより僅かに小さい高さになるように折り曲げ加工されているものを用いる。そして一対の第２鉛直板部４０は、標準パネル３の一辺部の長さが分かっていれば、予め工場で標準パネル３の一辺部の略２倍の長さの間隔になるように折り曲げ加工されているものを用いることができる。
【００３５】
したがって、第２鉛直板部４０の高さ寸法は、上記ボーダー部側溝部２０ａと直交する、そのボーダー部側溝部２０ａと同じ深さの２本の溝部２０の、水平板部３６の長さ方向の中央部寄りの１本の溝部２０に嵌合して、水平板部３６のボーダー部側支持脚８Ａ側の２つの隅部の下面が、ボーダー部側支持脚８Ａの支持面１８に接触して支持されるようになっている。
【００３６】
このような本発明の第１の実施の形態に係る、フリーアクセスフロアのボーダー部材によれば、ボーダー部材３２の水平板部３６は、それと隣り合う標準パネル３の天板部２２とは全く重ならないので、従来のようにその標準パネル３の天板部２２と重なるよう配置されることにより水平板部３６（ボーダー部材３２）の材料が無駄になることを防止することができる。
【００３７】
また、ボーダー部材３２の第２鉛直板部４０が、ボーダー部側支持脚８Ａのボーダー部側溝部２０ａと直交する溝部２０に嵌合するようになっているので、ボーダー部材３２と標準パネル３との間の水平方向の相対位置がずれるのを防止することができる。
【００３８】
また、ボーダー部材３２の水平板部３６と標準パネル３の天板部２２が全く重ならないことにより、フリーアクセスフロア２の床面となる標準パネル３の上面に段差が形成されることはないので、標準パネル３の上面と同一平面状に連続する床面を壁４等まで延長することができる。このため、従来のように、床面の段差の上に整理棚や書庫等が載置された場合のように、地震時等において整理棚や書庫等が傾むいて倒れたりするような、危険な事態が生じることを防止することができる。
【００３９】
また、本発明の第１の実施の形態に係る、フリーアクセスフロアのボーダー部材３２によれば、上述したようにボーダー部材３２と標準パネル３との間の水平方向の相対位置がずれるのを防止したり、ボーダー部材３２の水平板部３６上面と標準パネル３上面との間に段差が形成されることを防止したりできることにより、フリーアクセスフロア２の商品価値を向上させることができる。
【００４０】
次に、図６及び図７は、本発明の第２の実施の形態に係るフリーアクセスフロアのボーダー部材について説明するために参照する図である。
本実施の形態に係るフリーアクセスフロアのボーダー部材５２は、図６及び図７に示すように、上記第１の実施の形態に係るボーダー部材３２の第１鉛直板部３８に相当する、第１鉛直板部４８に、その板厚方向に貫通すると共に、その長さ方向に２つ配置される、切欠き部５０が形成されている。
【００４１】
このような本発明の第２の実施の形態に係る、フリーアクセスフロアのボーダー部材５２によれば、前記第１の実施の形態の効果と同様の効果を有する共に、図６に示すように、壁４から配線５５が出ている場合でも、その配線５５を切欠き部５０を貫通させて下地床面１０上に延ばすことができる。
【００４２】
また、本実施の形態に係るボーダー部材５２によれば、その第１鉛直板部４８に予め切欠き部５０が形成されているため、現場においてその切欠き部５０を加工しなくとも済むので、施工時間を短縮化することができる。
【００４３】
なお、前記第１の実施の形態においては、図２に示すように、ボーダー部材３２の長さは、最も壁４寄りの、互いに隣り合う２枚の標準パネル３の各一辺部の長さ同士を足した長さの場合（各標準パネル３の各一辺部の寸法の略２倍の長さの場合）について説明したが、このような場合に限定する必要は無く、ボーダー部材３２の長さは、標準パネル３の一辺部の長さを有する場合でも、或は、３枚以上の標準パネル３の略各一辺部の長さを足した長さを有する場合でも、本発明を適用することができる。
【００４４】
また、前記第２の実施の形態においては、図７に示すように、第１鉛直板部４８の長さ方向に２つの切欠き部５０が形成された場合について説明したが、その切欠き部５０は、第１鉛直板部４８の長さ方向に１つでも、或は３つ以上形成したものであってもよい。
【００４５】
また、前記第１の実施の形態においては、図１，２に示すように、標準パネル３は正方形のものだけを用いてフリーアクセスフロア２を構成した場合について説明したが、標準パネルは長方形のものだけを用いて、或は長方形のものと正方形のものを組み合わせて用いて、フリーアクセスフロアを構成するようにすることもできる。
【図面の簡単な説明】
【００４６】
【図１】本発明の第１の実施の形態に係るフリーアクセスフロア２のボーダー部材３２を示す側面断面図である。
【図２】図１中におけるフリーアクセスフロア２及びそのボーダー部材３２を示す平面図である。
【図３】図１におけるボーダー部材３２を示す側面断面図である。
【図４】図３におけるボーダー部材３２のＡ矢視図である。
【図５】図３におけるボーダー部材３２のＢ矢視図である。
【図６】本発明の第２の実施の形態に係るフリーアクセスフロア２のボーダー部材５２を示す側面断面図である。
【図７】本発明の第１の実施の形態に係る図４に示すボーダー部材３２に相当する、本発明の第２の実施の形態に係るボーダー部材５２を示す図である。
【図８】従来のボーダー部材６を含むフリーアクセスフロア２を示す平面図である。
【図９】図８に示すフリーアクセスフロア２のＡ−Ａ矢視側面断面図である。
【図１０】図８中の支持脚８だけを取り出して示すその平面図である。
【図１１】図８中の標準パネル３だけを取り出して示すその平面図である。
【符号の説明】
【００４７】
２  フリーアクセスフロア
３  標準パネル
４  壁
６  ボーダー部材
８  支持脚
８Ａ  ボーダー部側支持脚
１０  下地床面
１８  支持面
２０  溝部
２０ａ  板状部
２２  天板部
２４  側板部
２６  水平板部
２６ａ  板状部
３２  ボーダー部材
３６  水平板部
３８  第１鉛直板部
４０  第２鉛直板部
４８  第１鉛直板部
５０  切欠部
５２  ボーダー部材
５５  配線
【図１】
0005519913.tif 000002
【図２】
0005519913.tif 000003
【図３】
0005519913.tif 000004
【図４】
0005519913.tif 000005
【図５】
0005519913.tif 000006
【図６】
0005519913.tif 000007
【図７】
0005519913.tif 000008
【図８】
0005519913.tif 000009
【図９】
0005519913.tif 000010
【図１０】
0005519913.tif 000011
【図１１】
0005519913.tif 000012